(57)【要約】  本発明の映像表示装置は、映像信号からキャプション信号を抽出するキャプション信号デコード部と、映像信号から映像データを抽出する映像抽出部と、映像表示エリアの形状またはサイズを変更する旨の指示に応じて映像表示エリアを変更し、さらに、補正量に対応して映像表示エリアの変更を制限し、映像表示エリアの変更後または制限後の映像データである補正映像データを出力する補正画素変換部と、キャプション信号と補正映像データとが合成されたデータである合成映像データが入力されると、合成映像データによる映像を出力する映像表示部と、合成映像データに基づくキャプション表示エリアが映像表示エリアに収まっていなければ、合成映像データを出力する表示エリア検出部と、表示エリア検出部から合成映像データを受信すると、映像表示エリアにキャプション表示エリアを収めるための補正量を算出して補正画素変換部に送信する補正情報処理部と、を有する。
2010116457.tif 000002
【特許請求の範囲】
【請求項１】
入力される映像信号からキャプション信号を抽出するキャプション信号デコード部と、
前記映像信号から前記キャプション信号を除いた映像データを抽出する映像抽出部と、
前記映像抽出部から前記映像データが入力され、該映像データによる映像の表示エリアである映像表示エリアの形状またはサイズを変更する旨の指示が入力されると、該指示にしたがって該映像表示エリアを変更し、該映像表示エリアを変更した後の映像データである補正映像データを出力し、さらに、補正量が入力されると、該補正量に対応して前記映像表示エリアの変更を制限し、該映像表示エリアの変更を制限した後の映像データである補正映像データを出力する補正画素変換部と、
前記キャプション信号デコード部から出力される前記キャプション信号と前記補正画素変換部から出力される前記補正映像データとが合成されたデータである合成映像データが入力されると、該合成映像データによる映像を出力する映像表示部と、
前記合成映像データが入力され、該合成映像データにおいて前記キャプション信号による文字情報の表示エリアであるキャプション表示エリアと前記映像表示エリアとを検出し、該キャプション表示エリアが該映像表示エリアに収まっていなければ、該合成映像データを出力する表示エリア検出部と、
前記表示エリア検出部から前記合成映像データを受信すると、前記映像表示エリアに前記キャプション表示エリアを収めるための前記補正量を算出して前記補正画素変換部に送信する補正情報処理部と、
を有する映像表示装置。
【請求項２】
前記映像表示部および前記表示エリア検出部のそれぞれと接続され、前記映像表示部への前記合成映像データの入力を制御し、該合成映像データを出力する旨の制御信号を前記表示エリア検出部から受信すると、該合成映像データを前記映像表示部に出力する出力部をさらに有し、
前記表示エリア検出部は、
前記キャプション表示エリアが前記映像表示エリア内に収まると、前記制御信号を前記出力部に送信する、請求の範囲第１項記載の映像表示装置。
【請求項３】
前記補正情報処理部は、
前記合成映像データを前記表示エリア検出部から受信すると、前記映像表示エリアを白表示させる旨の制御信号を前記補正画素変換部に送信する、請求の範囲第１項または第２項記載の映像表示装置。
【請求項４】
前記映像信号がアナログ信号であるとき、
前記合成映像データをアナログ信号からデジタル信号に変換して前記表示エリア検出部に送信するＡ／Ｄ変換部をさらに有する、請求の範囲第３項記載の映像表示装置。
【請求項５】
入力される映像信号からキャプション信号を抽出するキャプション信号デコード部と、
前記映像信号から前記キャプション信号を除いた映像データを抽出する映像抽出部と、
前記映像抽出部から前記映像データが入力され、該映像データによる映像の表示エリアである映像表示エリアの形状を台形化する旨の指示が入力されると、該指示にしたがって該映像表示エリアを変更し、該映像表示エリアを変更した後の映像データである補正映像データを出力し、さらに、補正量が入力されると、該補正量に対応して前記映像表示エリアの変更を制限し、該映像表示エリアの変更を制限した後の映像データである補正映像データを出力する補正画素変換部と、
前記キャプション信号デコード部から出力される前記キャプション信号と前記補正画素変換部から出力される前記補正映像データとが合成されたデータである合成映像データが入力されると、該合成映像データによる映像を出力する映像表示部と、
前記映像表示部について地面に水平な方向に対する傾きの角度を検出し、検出した傾きの角度の値を出力する傾き検出部と、
前記映像表示部より出力される、前記合成映像データによる合成映像を撮像して出力する撮像素子と、
前記撮像素子から前記合成映像が入力され、該合成映像において前記キャプション信号による文字情報の表示エリアであるキャプション表示エリアと前記映像表示エリアとを検出し、該キャプション表示エリアが該映像表示エリアに収まっていなければ、該合成映像を出力する表示エリア検出部と、
前記傾きの角度の値を前記傾き検出部から受信すると、該傾きの角度に対応して前記映像表示エリアを台形化する旨の指示を前記映像画素変換部に通知し、前記表示エリア検出部から前記合成映像を受信すると、前記映像表示エリアに前記キャプション表示エリアを収めるための前記補正量を算出して前記補正画素変換部に送信する補正情報処理部と、
を有する映像表示装置。
【請求項６】
映像表示装置による映像処理方法であって、
入力される映像信号からキャプション信号と該キャプション信号を除いた映像データとを抽出し、
前記映像データによる映像の表示エリアである映像表示エリアの形状またはサイズを変更する旨の指示が入力されると、該指示にしたがって該映像表示エリアを変更した映像データである第１の補正映像データを生成し、
前記第１の補正映像データと前記キャプション信号とを合成した合成映像データから前記映像表示エリアと前記キャプション信号による文字情報が表示されるエリアであるキャプション表示エリアとを検出し、
前記キャプション表示エリアが前記映像表示エリアに収まっていなければ、前記映像表示エリアに前記キャプション表示エリアを収めるための補正量を算出し、
前記補正量に対応して前記映像表示エリアに対する変更を制限した映像データである第２の補正映像データを生成し、
前記キャプション信号と前記第２の補正映像データとを合成した合成映像データを出力する、映像処理方法。
【発明の詳細な説明】
【技術分野】
【０００１】
本発明は、映像表示装置および映像処理方法に関する。
【背景技術】
【０００２】
北米などでは、電波放送やＣＤ−ＲＯＭおよびＤＶＤなどのパッケージメディアにおいて、番組内の会話および番組内のナレーション等の情報を聴覚障害者向けに文字情報にして提供するために、映像信号の垂直帰線期間に文字情報が重畳している。文字情報は、映画の字幕のように映像に重ねて表示される。この文字情報はクローズドキャプションと呼ばれている。以下では、クローズドキャプションの情報を含む信号をクローズドキャプション信号と称する。【０００３】
ユーザが文字情報を含む映像をテレビ受像機で見る際、画面のサイズに合わせて映像を拡大したとき、クローズドキャプション信号による文字情報が画面から欠落してしまうことがある。【０００４】
この問題を解決するための方法の例が、特開平６−２６８９１３号公報、特開平１０−９３９３２号公報、および特開２００３−３３９０３１号公報に開示されている。
【発明の開示】
【０００５】
映像表示装置の一種であるプロジェクタにも、スクリーンに投射する映像を拡大したり、縮小したりする機能を備えたものがある。また、プロジェクタには、スクリーンに対して映像出力面を垂直にせず、傾けた場合にも、スクリーンに投射される映像が長方形になるように、プロジェクタから出力する映像を台形化する機能を備えているものがある。
【０００６】
プロジェクタから出力する映像を台形化した際、クローズドキャプション信号による文字情報が映像からはみ出して表示されることがあった。プロジェクタに限らず、映像を台形化して出力する機能がディスプレイ装置に応用されたとき、ディスプレイ装置にも同様の問題が起こると考えられる。
【０００７】
本発明の目的の一つは、映像を台形化して出力する際に起こり得る、字幕の欠落を防止した映像表示装置を提供することである。
【０００８】
本発明の一側面の映像表示装置は、入力される映像信号からキャプション信号を抽出するキャプション信号デコード部と、映像信号からキャプション信号を除いた映像データを抽出する映像抽出部と、映像抽出部から映像データが入力され、映像データによる映像の表示エリアである映像表示エリアの形状またはサイズを変更する旨の指示が入力されると、指示にしたがって映像表示エリアを変更し、映像表示エリアを変更した後の映像データである補正映像データを出力し、さらに、補正量が入力されると、補正量に対応して映像表示エリアの変更を制限し、映像表示エリアの変更を制限した後の映像データである補正映像データを出力する補正画素変換部と、キャプション信号デコード部から出力されるキャプション信号と補正画素変換部から出力される補正映像データとが合成されたデータである合成映像データが入力されると、合成映像データによる映像を出力する映像表示部と、合成映像データが入力され、合成映像データにおいてキャプション信号による文字情報の表示エリアであるキャプション表示エリアと映像表示エリアとを検出し、キャプション表示エリアが映像表示エリアに収まっていなければ、合成映像データを出力する表示エリア検出部と、表示エリア検出部から合成映像データを受信すると、映像表示エリアにキャプション表示エリアを収めるための補正量を算出して補正画素変換部に送信する補正情報処理部と、を有する。
【０００９】
また、本発明の一側面の映像処理方法は、映像表示装置による映像処理方法であって、入力される映像信号からキャプション信号とキャプション信号を除いた映像データとを抽出し、映像データによる映像の表示エリアである映像表示エリアの形状またはサイズを変更する旨の指示が入力されると、指示にしたがって映像表示エリアを変更した映像データである第１の補正映像データを生成し、第１の補正映像データとキャプション信号とを合成した合成映像データから映像表示エリアとキャプション信号による文字情報が表示されるエリアであるキャプション表示エリアとを検出し、キャプション表示エリアが映像表示エリアに収まっていなければ、映像表示エリアにキャプション表示エリアを収めるための補正量を算出し、補正量に対応して映像表示エリアに対する変更を制限した映像データである第２の補正映像データを生成し、キャプション信号と第２の補正映像データとを合成した合成映像データを出力するものである。
【図面の簡単な説明】
【００１０】
【図１】図１は第１の実施形態のプロジェクタの一構成例を示すブロック図である。
【図２】図２は図１に示した映像信号処理部の一構成例を示すブロック図である。
【図３】図３は第１の実施形態のプロジェクタの動作手順を示すフローチャートである。
【図４】図４は第１の実施形態において、映像表示エリアの補正方法を説明するための図である。
【図５】図５は第２の実施形態における映像信号処理部の一構成例を示すブロック図である。
【図６】図６は第３の実施形態における映像信号処理部の一構成例を示すブロック図である。
【図７】図７は第４の実施形態のプロジェクタの要部を示すブロック図である。
【符号の説明】
【００１１】
１０１    プロジェクタ
１０３    キャプション信号デコード部
１０４    映像抽出部
１０５    補正画素変換部
１０６    映像表示部
１０７    表示エリア検出部
１０８    補正情報処理部
１１０    映像信号処理部
１１２    操作部
【発明を実施するための最良の形態】
【００１２】
本実施形態の映像表示装置について説明する。映像表示装置には、パーソナルコンピュータおよびテレビのディスプレイ装置ならびにプロジェクタなどがあるが、本実施形態では、映像表示装置がプロジェクタの場合で説明する。本実施形態では、クローズドキャプションに限定されず、一般的な字幕も表示対象となる。以下では、クローズドキャプションを含めて、単にキャプションと称する。【００１３】
（第１の実施形態）
本実施形態のプロジェクタの構成を説明する。図１は本実施形態のプロジェクタの一構成例を示すブロック図である。【００１４】
図１に示すように、プロジェクタ１０１は、映像表示部１０６と、映像信号処理部１１０と、操作部１１２とを有する。映像信号処理部１１０に映像信号を入力する機器としては、パーソナルコンピュータ、テレビおよびＤＶＤプレーヤなどの情報処理装置が挙げられる。映像信号は、例えば、ＲＧＢ方式のコンポーネント映像信号である。【００１５】
映像表示部１０６は、ライトバルブによって形成された画像をスクリーン１２０に投写するための光源（不図示）および複数のレンズと、レンズを光軸に沿って移動させるフォーカス調整部（不図示）とを有している。【００１６】
操作部１１２には、プロジェクタ１０１を動作させるための複数のコントロールボタンおよびスイッチが設けられている。赤外線通信によりユーザの指示をプロジェクタ本体に送信するためのリモートコントローラも含まれる。ユーザは操作部１１２を操作して、映像による表示エリアの形状およびサイズの少なともいずれかを変更することが可能である。形状の変更には、長方形を台形に変更する場合がある。サイズの変更には、映像による表示エリアを拡大する場合または縮小する場合がある。【００１７】
図１に示した映像信号処理部１１０について詳しく説明する。図２は本実施形態の映像信号処理部の一構成例を示すブロック図である。【００１８】
図２に示すように、映像信号処理部１１０は、キャプション信号デコード部１０３と、映像抽出部１０４と、補正画素変換部１０５と、補正情報処理部１０８と、表示エリア検出部１０７とを有する。キャプション信号を含む映像信号がプロジェクタ１０１に入力されると、映像信号は、キャプション信号デコード部１０３および映像抽出部１０４のそれぞれに入力される。キャプション信号は、映像に重ねて表示される文字情報である。【００１９】
キャプション信号デコード部１０３は、映像信号の垂直帰線期間に含まれるキャプション信号を抽出し、キャプション信号に基づくデータであるキャプションデータに変換する。映像抽出部１０４は、映像信号のうち文字情報以外の画面に表示される映像データを抽出して補正画素変換部１０５に送る。【００２０】
キャプション信号デコード部１０３と補正画素変換部１０５のそれぞれはデータを出力する際、同じ映像信号に基づくキャプションデータと映像データとを同期させて出力する。キャプション信号デコード部１０３から出力されるキャプションデータと補正画素変換部１０５から出力される映像データとが合成される。以下では、この合成されたデータを合成映像データと称する。合成映像データは、映像表示部１０６および表示エリア検出部１０７のそれぞれに入力される。【００２１】
合成映像データによる映像において、文字情報の表示エリアをキャプション表示エリアと称し、補正画素変換部１０５から出力される映像データの表示エリアを映像表示エリアと称する。【００２２】
表示エリア検出部１０７は、合成映像データが入力されると、キャプション表示エリアと映像表示エリアとを比較し、キャプション表示エリアが映像表示エリアからはみ出しているか否かを判定する。判定の結果、表示エリア検出部１０７は、キャプション表示エリアが映像表示エリアからはみ出している場合、合成映像データを補正情報処理部１０８に送信し、キャプション表示エリアが映像表示エリアに収まっている場合、合成映像データを補正情報処理部１０８に送信しない。【００２３】
補正情報処理部１０８は、画面の縮小もしくは拡大または台形化の指示が操作部１１２から入力されると、その指示内容を補正画素変換部１０５に通知する。また、補正情報処理部１０８は、表示エリア検出部１０７から合成映像データを受信すると、キャプション表示エリアが映像表示エリアに収まるように補正量を算出し、その補正量の情報を補正画素変換部１０５に送信する。【００２４】
補正画素変換部１０５は、映像抽出部１０４から受信する映像データを予め決められた規格の解像度に画素変換して出力する。規格とは、例えば、ＸＧＡ（eXtended  Graphics  Array）である。補正画素変換部１０５は、画面の縮小もしくは拡大または台形化する旨の指示を補正情報処理部１０８から受け取ると、元に映像データに対して、指示内容に対応して映像表示エリアを変更した映像データに画素変換を行う。簡単な具体例を説明する。補正画素変換部１０５は、映像表示エリアが長方形の映像データに対して、台形化する旨の指示を補正情報処理部１０８から受け取ると、映像表示エリアを長方形から台形に画素変換した映像データを生成する。【００２５】
また、補正画素変換部１０５は、補正情報処理部１０８から補正量の情報を受け取ると、指示内容にしたがって変更した映像データに対して、補正量に対応して映像表示エリアを制限する画素変換を行った映像データを生成する。補正画素変換部１０５は、画素変換した後の映像データを出力する。画素変換後の映像データは補正映像データに相当する。【００２６】
映像表示部１０６には、ＲＧＢの各色に対応して固定画素パネル（不図示）が設けられている。以下では、説明を簡単にするために、１つの固定画素パネルの場合で説明する。映像表示部１０６は、映像信号処理部１１０から固定画素パネルに合成映像データが入力されると、合成映像データによる映像をスクリーン１２０に投射する。【００２７】
次に、映像信号処理部１１０による、映像表示エリアの補正処理の動作を説明する。図３は本実施形態における映像信号処理部の動作手順を示すフローチャートである。図４は、本実施形態における、映像表示エリアの補正方法を説明するための図である。図４は、合成映像データによる映像を固定画素パネルに表示させた場合を示す。【００２８】
キャプション信号を含む映像信号がプロジェクタ１０１のキャプション信号デコード部１０３と映像抽出部１０４のそれぞれに入力される。キャプション信号デコード部１０３は映像信号の垂直帰線期間に含まれる文字情報を映像信号から抽出し、抽出した文字情報のデータであるキャプションデータを出力する。映像抽出部１０４は映像信号から文字情報を除く映像データを抽出して補正画素変換部１０５に出力する。この段階では、補正画素変換部１０５は、補正情報処理部１０８から補正量の情報を受信していないので、入力された映像データを出力する。【００２９】
キャプション信号デコード部１０３から出力されるキャプションデータおよび補正画素変換部１０５から出力される映像データが合成され、合成映像データが映像表示部１０６および表示エリア検出部１０７のそれぞれに入力される。映像表示部１０６は、合成映像データが固定画素パネル３０１に入力されると、合成映像データによる映像をスクリーン１０２に投射する。表示エリア検出部１０７は、受信した合成映像データからキャプション表示エリアと映像表示エリアを検出し（ステップ２０１）、キャプション表示エリアが映像表示エリアに収まっているか否かを調べ（ステップ２０２）、収まっていることを認識すると、何も出力しない。【００３０】
ユーザがスクリーン１０２に投射される映像を見て、映像の形状またはサイズを変更する。ここでは、ユーザが操作部１１２を操作して、スクリーン１０２に投射される映像を台形にする指示を入力したものとする。このとき、図４（ａ）の固定画素パネル３０１に示すように、映像表示エリア３０２は、下底の方の長さが上底よりも短い台形になり、長方形状のキャプション表示エリア３０３が映像表示エリア３０２からはみ出す。この新たな合成映像データに対して、図３に示すフローにしたがって次のように処理が行われる。【００３１】
表示エリア検出部１０７は、入力される合成映像データからキャプション表示エリア３０３と映像表示エリア３０２を検出する（ステップ２０１）。続いて、表示エリア検出部１０７は、キャプション表示エリア３０３が映像表示エリア３０２内であるか否かを判定する（ステップ２０２）。判定の結果、表示エリア検出部１０７は、キャプション表示エリア３０３が映像表示エリア３０２からはみ出していることを認識すると、合成映像データを補正情報処理部１０８に送信する。【００３２】
補正情報処理部１０８は、表示エリア検出部１０７から合成映像データを受信すると、映像表示エリア３０２の下底の長さをキャプション表示エリア３０３の長辺の長さにするための補正量を算出する（ステップ２０３）。続いて、補正情報処理部１０８は、算出した補正量の情報を補正画素変換部１０５に送信する。【００３３】
補正画素変換部１０５は、補正量の情報を補正情報処理部１０８から受信すると、補正量の情報に対応して、映像表示エリア３０２の下底の長さを大きくする画素変換を映像データに対して行う（ステップ２０４）。その際、映像表示エリア３０２の形状は台形を維持する。画素変換後の映像データは、補正画素変換部１０５から出力され、キャプション信号デコード部１０３から出力されるキャプションデータと合成される。映像データとキャプションデータが合成された合成映像データは、映像表示部１０６および表示エリア検出部１０７のそれぞれに入力される。【００３４】
この合成映像データによる映像を固定画素パネル３０１に表示すると、図４（ｂ）のようになる。図４（ｂ）に示すように、キャプション表示エリア３０３の下側の一部が長方形状に映像表示エリア３０２からはみ出している。【００３５】
表示エリア検出部１０７は、ステップ２０１に戻って、入力される合成映像データからキャプション表示エリア３０３と映像表示エリア３０２を検出する。続いて、表示エリア検出部１０７は、キャプション表示エリア３０３が映像表示エリア３０２内であるか否かを判定する（ステップ２０２）。判定の結果、表示エリア検出部１０７は、キャプション表示エリア３０３が映像表示エリア３０２からはみ出していることを認識すると、合成映像データを補正情報処理部１０８に送信する。【００３６】
補正情報処理部１０８は、表示エリア検出部１０７から合成映像データを受信すると、映像表示エリア３０２の下底を垂直下方に引き伸ばし、その下底をキャプション表示エリア３０３の下側の長辺に重ねるための補正量を算出する（ステップ２０３）。続いて、補正情報処理部１０８は、算出した補正量の情報を補正画素変換部１０５に送信する。【００３７】
補正画素変換部１０５は、補正量の情報を補正情報処理部１０８から受信すると、補正量の情報に対応して、映像表示エリア３０２の下底を垂直下方に引き伸ばす画素変換を映像データに対して行う（ステップ２０４）。その際、映像表示エリア３０２の形状は台形を維持する。画素変換後の映像データは、補正画素変換部１０５から出力され、キャプション信号デコード部１０３から出力されるキャプションデータと合成される。映像データとキャプションデータが合成された合成映像データは、映像表示部１０６および表示エリア検出部１０７のそれぞれに入力される。【００３８】
この合成映像データによる映像を固定画素パネル３０１に表示すると、図４（ｃ）のようになる。図４（ｃ）に示すように、キャプション表示エリア３０３が映像表示エリア３０２に含まれている。表示エリア検出部１０７は、ステップ２０１に戻って、合成映像データからキャプション表示エリア３０３と映像表示エリア３０２を検出する。続いて、表示エリア検出部１０７は、キャプション表示エリア３０３が映像表示エリア３０２内であるか否かを判定する（ステップ２０２）。判定の結果、表示エリア検出部１０７は、キャプション表示エリア３０３が映像表示エリア３０２に含まれていることを認識すると、合成映像データを補正情報処理部１０８に送信しない。【００３９】
なお、映像表示エリアに対する補正の処理を詳しく説明するために、２段階で補正を行う場合を説明したが、図４を参照して説明した補正の処理を一度に行ってもよい。【００４０】
キャプション表示エリアが、オンスクリーンディスプレイ（ＯＳＤ）のように固定ではなく、表示される文字情報の量により変化することがある。この場合、プロジェクタは、映像表示エリアの補正処理を映像信号毎に行う必要があり、映像信号が入力されるたびに、図３に示すフローの処理を行う。その結果、ユーザが画面の拡大や縮小のための操作を行わなくても、映像表示エリアの補正が自動的に行われる。【００４１】
ただし、映画のＤＶＤの映像やテレビの録画映像などで、キャプション表示エリアが大幅に変わらない場合、プロジェクタが基準となる映像信号で図３に示すフローの処理を行い、その後に入力される映像信号に対しては図３に示すフローの処理を省略してもよい。【００４２】
本実施形態のプロジェクタでは、ユーザの指示入力により映像表示エリアの形状またはサイズが変更することで、キャプション表示エリアが映像表示エリアをはみ出しても、映像表示エリアの形状またはサイズの変更を制限し、キャプション表示エリアが映像表示エリア内に収まる。【００４３】
（第２の実施形態）
キャプション表示エリアが映像表示エリアからはみ出ると、第１の実施形態では、図２を参照して説明したように、キャプション表示エリアが映像表示エリアに収まるまでの間の合成映像データによる映像もスクリーンに投射される。本実施形態は、キャプション表示エリアが映像表示エリアに収まってから映像をスクリーンに投射するようにしたものである。【００４４】
本実施形態のプロジェクタの構成について説明する。本実施形態のプロジェクタは、映像信号処理部の構成を除いて、第１の実施形態と同様であるため、映像信号処理部以外の構成について詳細な説明を省略する。また、第１の実施形態と同様な構成については同一の符号を付し、その詳細な説明を省略する。【００４５】
図５は本実施形態のプロジェクタにおける映像信号処理部の一構成例を示すブロック図である。図５に示すように、本実施形態の映像信号処理部１３１には、キャプション信号デコード部１０３の出力および補正画素変換部１０５の出力が接続される部位と、映像表示部１０６との間に出力部１３５が設けられている。【００４６】
表示エリア検出部１３７は、キャプション表示エリアが映像表示エリアからはみ出していると、第１の実施形態の表示エリア検出部１０７と同様に動作する。本実施形態の表示エリア検出部１３７は、キャプション表示エリアが映像表示エリアに収まっていると、出力部１３５に対して、合成映像データを映像表示部１０６に出力する旨を指示するための制御信号を送信する。【００４７】
出力部１３５は、合成映像データが入力されても、表示エリア検出部１３７から制御信号を受信しなければ、合成映像データを映像表示部１０６に出力しない。出力部１３５は、表示エリア検出部１３７から制御信号を受信すると、入力される合成映像データを映像表示部１０６に出力する。【００４８】
次に、本実施形態の映像信号処理部１３１の動作を、図３に示したフローチャートを参照して説明する。【００４９】
映像信号処理部１３１は、映像信号による合成映像データからキャプション表示エリアと映像表示エリアを検出し、キャプション表示エリアが映像表示エリアからはみ出していると、キャプション表示エリアが映像表示エリアに収まるまでステップ２０１からステップ２０４の処理を行う。そして、映像信号処理部１３１は、ステップ２０２の判定でキャプション表示エリアが映像表示エリアに収まっていると判定すると、出力部１３５から合成映像データを映像表示部１０６に出力する。【００５０】
本実施形態では、ユーザが映像表示エリアの形状やサイズを変更し過ぎても、スクリーンに投射される映像は、キャプション表示エリアが映像表示エリアに収まっている。【００５１】
なお、本実施形態では、出力部１３５は、映像信号処理部１３１に含まれる構成としたが、映像信号処理部１３１と映像表示部１０６との間に設けられていてもよく、映像表示部１０６内に設けられていてもよい。【００５２】
（第３の実施形態）
本実施形態は、映像表示エリアを白表示にすることで、映像表示エリアの外縁を検出しやすくするものである。本実施形態は、映像信号がアナログ信号の場合に特に有効である。映像表示エリアの外縁を検出しづらい場合とは、例えば、映像表示エリアの中心付近だけに人や物が映っていて背景が黒い映像内容である。【００５３】
本実施形態のプロジェクタの構成について説明する。本実施形態のプロジェクタは、映像信号処理部の構成を除いて、第１の実施形態と同様であるため、映像信号処理部以外の構成について詳細な説明を省略する。また、第１の実施形態と同様な構成については同一の符号を付し、その詳細な説明を省略する。映像信号がアナログ信号の場合とする。【００５４】
図６は本実施形態のプロジェクタにおける映像信号処理部の一構成例を示すブロック図である。【００５５】
図６に示すように、本実施形態の映像信号処理部１３２には、キャプション信号デコード部１０３の出力および補正画素変換部１０５の出力が接続される部位と、表示エリア検出部１０７との間にＡ／Ｄ変換部１４４が設けられている。Ａ／Ｄ変換部１４４は、入力される合成映像データをアナログ信号からデジタル信号に変換して表示エリア検出部１０７に出力する。【００５６】
補正情報処理部１４８は、表示エリア検出部１０７から合成映像データを受信すると、白表示にさせる旨を指示するための制御信号を補正画素変換部１０５に送信する。白表示とは、ＲＧＢのそれぞれについて各画素のレベルが最大になっていることを意味する。また、補正情報処理部１４８は、第１の実施形態と同様にして補正量を算出して補正画素変換部１０５に送信する。【００５７】
補正画素変換部１０５は、第１の実施形態と同様にして、操作部１１２を介して入力される指示および補正情報処理部１４８から補正量のうち少なくともいずれか入力されると、入力された指示または補正量にしたがって映像表示エリアを画素変換した映像データを生成する。また、補正画素変換部１０５は、補正情報処理部１４８から制御信号を受信すると、画素変換後の映像データに対して、映像表示エリアを全て白表示にする補正を行う。【００５８】
次に、本実施形態の映像信号処理部１３２の動作を、図３に示したフローチャートを参照して説明する。【００５９】
映像信号処理部１３２は、映像信号による合成映像データからキャプション表示エリアと映像表示エリアを検出し、キャプション表示エリアが映像表示エリアからはみ出していると、映像表示エリアを全て白表示にさせる。続いて、映像信号処理部１３２は、キャプション表示エリアが映像表示エリアに収まるまでステップ２０１からステップ２０４の処理を行う。そして、映像信号処理部１３２は、ステップ２０２の判定でキャプション表示エリアが映像表示エリアに収まっていると判定すると、映像表示エリアの白表示を停止し、合成映像データを映像表示部１０６に出力する。【００６０】
本実施形態では、ユーザが映像表示エリアの台形化または拡大もしくは縮小の処理を行うことで、キャプション表示エリアが映像表示エリアからはみ出ると、映像表示エリアが全て白表示となる。映像内容により映像表示エリアを特定しにくい場合でも、白表示させることで、どこまでが映像として表示されているかを検出しやすくなる。【００６１】
（第４の実施形態）
本実施形態も、映像表示エリアを検出しやすくするものであるが、第３の実施形態とは異なる方法である。本実施形態のプロジェクタは、白画面をスクリーンに投射し、その映像を撮像素子で取り込むことで映像表示エリアを検出するものである。【００６２】
図７は本実施形態のプロジェクタの要部を示すブロック図である。なお、第１の実施形態と同様な構成については同一の符号を付し、その詳細な説明を省略する。【００６３】
本実施形態のプロジェクタには、図１に示した映像信号処理部１１０の代わりに図７に示す映像信号処理部１３３が設けられ、操作部１１２の代わりに加速度センサ１５３が設けられ、さらに、カメラ１５１が設けられている。カメラ１５１は、図１に示したスクリーン１２０に投射された映像を撮像する撮像素子１５２を含む。【００６４】
加速度センサ１５３は、プロジェクタ１０１の映像表示部１０６について地面に水平な方向に対する傾きを検出する。加速度センサ１５３は、プロジェクタ１０１が平らな場所に置かれたときの検出値が標準値として予め登録され、プロジェクタ１０１が傾くと、標準値を基準にし、傾きの角度に相当する傾き度を測定し、傾き度の値を補正情報処理部１５８に送信する。【００６５】
補正情報処理部１５８は、加速度センサ１５３から傾き度の値を受信すると、受信した傾き度の値に対応して映像表示エリアを台形化するための指示を補正画素変換部１０５に通知する。また、補正情報処理部１５８は、表示エリア検出部１０７から合成映像データを受信すると、白表示にさせる旨を指示するための制御信号を補正画素変換部１０５に送信する。また、補正情報処理部１５８は、第１の実施形態と同様にして補正量を算出して補正画素変換部１０５に送信する。【００６６】
補正画素変換部１０５は、第１の実施形態と同様にして、操作部１１２を介して入力される指示および補正情報処理部１５８から補正量のうち少なくともいずれか入力されると、入力された指示または補正量にしたがって映像表示エリアを画素変換した映像データを生成する。また、補正画素変換部１０５は、補正情報処理部１５８から制御信号を受信すると、画素変換後の映像データに対して、映像表示エリアを全て白表示にする補正を行う。【００６７】
次に、本実施形態の映像信号処理部１３３の動作を、図３に示したフローチャートを参照して説明する。【００６８】
ユーザによりプロジェクタが傾けられ、スクリーンに表示された映像でキャプション表示エリアが映像表示エリアからはみ出ると、その映像が撮像素子１５２を介して映像信号処理部１３３に入力される。映像信号処理部１３３は、キャプション表示エリアが映像表示エリアからはみ出ていることを認識すると、映像表示エリアを全て白表示にさせる。続いて、映像信号処理部１３３は、キャプション表示エリアが映像表示エリアに収まるまでステップ２０１からステップ２０４の処理を行う。そして、映像信号処理部１３２は、ステップ２０２の判定でキャプション表示エリアが映像表示エリアに収まっていると判定すると、映像表示エリアの白表示を停止し、合成映像データを映像表示部１０６に出力する。【００６９】
本実施形態では、プロジェクタを傾けた場合に加速度センサなどの傾き検出部で傾きが検出され、プロジェクタがスクリーンの映像を台形化する。映像が台形化することで、キャプション表示エリアが映像表示エリアをはみ出ると、映像表示エリアが全て白表示となる。映像内容により映像表示エリアを特定しにくい場合でも、白表示させることで、どこまでが映像として表示されているかを検出しやすくなる。【００７０】
本実施形態では、プロジェクタを傾けたときにユーザ自身が映像を台形化する必要がなく、映像の台形化によりキャプション表示エリアが映像表示エリアをはみ出しても、自動的にキャプション表示エリアが映像表示エリアに収まる。【００７１】
なお、第４の実施形態のプロジェクタでは、図７に示すように加速度センサ１５３を設けているが、加速度センサ１５３の代わりに図１に示した操作部１１２を設けてもよい。その反対に、第１から第３の実施形態のいずれかのプロジェクタにおいて、操作部１１２の代わりに加速度センサ１５３を設けてもよい。その場合、映像信号処理部には、補正情報処理部１０８の代わりに補正情報処理部１５８が設けられる。【００７２】
また、第３および第４の実施形態では、映像表示エリアを白表示させて、映像表示エリアを検出する場合を説明したが、第１の実施形態と同様に、入力される映像信号に基づいて映像表示エリアを検出してもよい。【００７３】
さらに、第３または第４の実施形態を第１の実施形態に適用してもよく、第２の実施形態を第３または第４の実施形態に適用してもよい。【００７４】
以上、実施形態および実施例を参照して本願発明を説明したが、本願発明は上記実施形態および実施例に限定されるものではない。本願発明の構成や詳細には、本願発明のスコープ内で当業者が理解し得る様々な変更をすることができる。
【図１】
2010116457.tif 000003
【図２】
2010116457.tif 000004
【図３】
2010116457.tif 000005
【図４】
2010116457.tif 000006
【図５】
2010116457.tif 000007
【図６】
2010116457.tif 000008
【図７】
2010116457.tif 000009
【国際調査報告】
2010116457.tif 000010
2010116457.tif 000011
2010116457.tif 000012
2010116457.tif 000013